(57)【特許請求の範囲】
【請求項１】
上下方向に延出する支持棒に脱着可能な受け部及びこの受け部に対して前記支持棒に沿う方向に間隔をあけて設けられた係止部を備える取付けブラケットと、この取付けブラケットに取り付けられ、かつ前記支持棒から離れる方向に延出して延長物を支持する担持部材とを有し、
前記受け部が、前記支持棒の周面に接触する第１接触部を備え、前記係止部が、前記支持棒に対する前記第１接触部の接触方向とは相反する方向から前記支持棒の周面に接触する第２接触部を備え、
前記延長物を前記担持部材に支持させたときにその延長物の荷重により、前記支持棒の周面に接触する前記係止部の前記第２接触部を支点として前記取付けブラケットに旋回力が働き、前記受け部の前記第１接触部による前記支持棒への圧接力と前記係止部の前記第２接触部による前記支持棒への圧接力とが相反する方向から同時に働いて前記延長物支持装置を前記支持棒に保持し、
前記取付けブラケットの前記係止部が、板状体に棒体を固着して構成され、この棒体の一端部における端面を傾斜面に形成してその先端部を前記第２接触部とし、前記棒体の他端部を前記板状体から延長して前記担持部材としたことを特徴とする延長物支持装置。
【請求項２】
前記係止部が、前記受け部に対して前記支持棒に沿った下方向側に設けられ、この係止部から更に前記支持棒に沿って下方向に延出し、前記係止部の前記第２接触部と同じ方向から前記支持棒の周面に接触する第３接触部を有する補助係止部を前記取付けブラケットが備えている請求項１に記載の延長物支持装置。
【請求項３】
前記受け部が、前記支持棒を包囲するほぼコ字形の溝部を形成し、この溝部の底面が前記支持棒の周面に接触する前記第１接触部とされている請求項１又は２に記載の延長物支持装置。
【請求項４】
前記受け部の下端と前記係止部の前記第２接触部との間に支持棒を配置可能な隙間を支持棒配置口として形成し、前記支持棒の軸方向途中の部位に前記取付けブラケットを装着するとき、前記隙間に前記支持棒の軸方向途中の部位を相対的に配置し、前記第２接触部を支点として前記取付けブラケットを旋回して前記受け部の前記溝部内に開放側から前記支持棒を相対的に入れて装着する請求項３に記載の延長物支持装置。
【発明の詳細な説明】
【０００１】
【発明の属する技術分野】
本発明は延長物支持装置に関し、更に詳細には例えば建造物の天井に取り付けたアンカーネジ棒などに装着して、天井裏空間に配置されるケーブルや配管を支持する延長物支持装置に関する。
【０００２】
【従来の技術】
従来、例えば鉄筋コンクリート造の建造物などでは、コンクリート躯体の天井面から間隔をあけて天井用の化粧板即ち天板が取り付けられ、これにより天井面とこの天板との間に天井裏空間が形成されている。この天井裏空間には電気系や信号系のケーブル、或いは給排水管や空気調和装置のダクト等の配管系が設置されている。
【０００３】
一般的に、天井裏空間に配置されるケーブルや配管系は、コンクリート躯体の天井面から吊り下げ支持されていた。天井裏空間においてケーブルや配管系を吊り下げ支持する従来の手段としては種々の構造のものが存在するが、代表的にはコンクリート躯体の天井面を所定の間隔で削孔し、これらの削孔にアンカー棒の一端部を埋め込んで取り付け、各アンカー棒にケーブルや配管系に対応した形状や構造の保持金具を装着して構成されたものが一般的であった。
【０００４】
このように天井裏空間にケーブルや配管系が設置された建造物全体又は一部の室内をリフォームする場合、これらのケーブルや配管系は、これらを支持していた吊り下げ支持手段から取り外して、一時的に別な位置に仮設する必要が出てくることがある。このような場合、従来では、仮設する位置に建造物を新築する時に設置するのと同じ吊り下げ支持手段を躯体天井面に取り付けてケーブルや配管系を一時的に他の位置に待避させるようにしていた。
【０００５】
【発明が解決しようとする課題】
しかしながら、天井裏空間に配置されたケーブルや配管系を支持する従来の吊り下げ支持手段は、その構造が極めて複雑でかつ堅牢に製作されており、コンクリート躯体の天井面への設置が非常に面倒で、時間と労力が掛かる。そのため、特に、天井裏空間に配置されたケーブルや配管系をリフォームなどで別な位置に仮設する場合などに、非常に簡単に設置可能で、かつ支持強度的にも問題のない吊り下げ支持手段の開発が望まれていた。
【０００６】
本発明の目的は、かかる従来の問題点を解決するためになされたもので、建造物の室内における天井裏空間においてケーブルや配管系などの延長物を支持する手段として、構造が簡素でかつ支持棒への装着が非常に容易な延長物支持装置を提供することにある。
【０００７】
【課題を解決するための手段】
本発明は延長物支持装置に関し、前述した技術的課題を解決するために以下のように構成されている。すなわち、本発明は、上下方向に延出する支持棒に着脱可能な受け部及びこの受け部に対して支持棒に沿う方向に間隔をあけて設けられた係止部を備える取付けブラケットと、この取付けブラケットに取り付けられ、かつ支持棒から離れる方向に延出して延長物を支持する担持部材とを有し、受け部が、支持棒の周面に接触する第１接触部を備え、係止部が、支持棒に対する第１接触部の接触方向とは相反する方向から支持棒の周面に接触する第２接触部を備え、延長物を担持部材に支持させたときにその延長物の荷重により、支持棒の周面に接触する係止部の第２接触部を支点として取付けブラケットに旋回力が働き、受け部の第１接触部による支持棒への圧接力と係止部の第２接触部による支持棒への圧接力とが相反する方向から同時に働いて延長物支持装置を支持棒に保持し、取付けブラケットの係止部が、板状体に棒体を固着して構成され、この棒体の一端部における端面を傾斜面に形成してその先端部を第２接触部とし、棒体の他端部を板状体から延長して担持部材としたことを特徴とする。
【０００８】
このような本発明の延長物支持装置によると、例えば、既設又は新設を問わず、コンクリート躯体の天井面に一端を埋め込んで取り付けられているアンカーネジ棒を支持棒として利用することができ、この支持棒に取付けブラケットの受け部をワンタッチで嵌め込んで第１接触部及び第２接触部を支持棒の周面に当てるだけで、延長物支持装置を支持棒に簡単に保持させることができる。
【０００９】
本発明の延長物支持装置は、前述した特徴を有するが、更に以下のような特徴も備えている。すなわち、本発明の延長物支持装置では、係止部が受け部に対して支持棒に沿った下方向側に設けられ、この係止部から更に支持棒に沿って下方向に延出し、係止部の第２接触部と同じ方向から支持棒の周面に接触する第３接触部を有する補助係止部が取付けブラケットに設けられている。このような補助係止部を設けると、担持部材に重い延長物を乗せて支持するとき、支持棒に対する延長物支持装置の保持力が高まり、支持棒に沿った下方向への延長物支持装置のずり落ちを防止できる。
【００１０】
また、本発明の延長物支持装置は、前述した特徴に加えて更に以下のような特徴も備える。すなわち、本発明の延長物支持装置では、受け部が支持棒を包囲するほぼコ字形の溝部を形成し、この溝部の底面が支持棒の周面に接触する第１接触部とされていることを特徴とする。
【００１１】
更に、本発明の延長物支持装置では、受け部の下端と係止部の第２接触部との間に支持棒配置口として隙間を形成し、支持棒の軸方向途中の部位に取付けブラケットを装着する時、隙間に支持棒の軸方向途中の部位を相対的に配置し、第２接触部を支点として取付けブラケットを旋回して受け部の溝部内に開放側から支持棒を相対的に入れて装着するようにしたことを特徴とする。
【００１２】
【００１３】
【発明の実施の形態】
以下、本発明の延長物支持装置を図に示される実施形態について更に詳細に説明する。図１〜図３には本発明における第１の実施形態に係る延長物支持装置１０が示されている。この延長物支持装置１０は、上下方向に延出する支持棒ＳＲに装着されて使用される。
【００１４】
この延長物支持装置１０は、取付けブラケット１１を備えている。この取付けブラケット１１は、ほぼ直角三角形状をした金属製の基板１２と、この基板１２の３辺の内、斜辺を除く一辺側の表面上に設けられた受け部１３と、他辺側の表面上に設けられた係止部１４とを備えて形成されている。受け部１３は、ほぼ直角三角形状の基板１２の一辺から一体的に突出した枠形成片１３ａをこの基板１２の表面側にＬ字形に折り曲げて形成されている。従って、この受け部１３は、Ｌ字形に折り曲げられた枠形成片１３ａと基板１２の表面とが共同して形成されたコ字形の溝部１３ｂを備えている。
【００１５】
この受け部１３における溝部１３ｂの幅は、基板１２の表面に沿う開放側から支持棒ＳＲが相対的に出入りできるように支持棒ＳＲの直径とほぼ等しくされている。従って取付けブラケット１１の受け部１３が支持棒ＳＲを抱き込むように溝部１３ｂ内に開放側から相対的に入れるようにして取付けブラケット１１を支持棒ＳＲに装着するとき、この溝部１３ｂの両側面と底面が支持棒ＳＲの周面に線接触する。このうち支持棒ＳＲの周面と線接触する溝部１３ｂ内の底面中央部が第１接触部１３ｃとされる。
【００１６】
コ字形の溝部１３ｂの両側面を形成している枠形成片１３ａと基板１２には、その一部を溝部１３ｂ内に三角状に切り起こして僅かに突出させた切り起こし部１３ｄが設けられている。これにより取付けブラケット１１の受け部１３が支持棒ＳＲに装着されるとき、溝部１３ｂの開放側から受け部１３内に相対的に入る支持棒ＳＲの周面に各切り起こし部１３ｄの切り起こし片が圧接してその通過に抵抗を与える。
【００１７】
そのため、受け部１３を支持棒ＳＲに対して何らの抵抗もなく簡単に着脱することはできず、支持棒ＳＲの溝部内１３ｂへの相対的な取り出しに所定の力が必要となり、その結果取付けブラケット１１の受け部１３が支持棒ＳＲから簡単に外れることはない。受け部１３から支持棒ＳＲが簡単に外れないようにする手段としては、このような三角形状の切り起こしに限定されるものではなく、枠形成片１３ａの外面から部分的（点状）に内方へ押し出し、内壁面に半球状の突出部を形成するようにしてもよい。
【００１８】
取付けブラケット１１を構成するほぼ直角三角形状の基板１２の他辺側に設けられた係止部１４は、受け部１３内を通る支持棒ＳＲに沿う下方向に間隔をあけた位置に設けられている。この係止部１４は、基板１２の他辺から一体的に突出した棚形成片１５ａをこの基板１２の表面に対してほぼ直角に折り曲げて形成された棚部１５を備えている。
【００１９】
この棚部１５上には金属製の棒体１６が基板１２の表面に沿うように乗せられて溶接により固着されている。これにより棒体１６の一端部は受け部１３の溝部内１３ｂを通る支持棒ＳＲに対向し、その対向端は傾斜端面１６ａとされ、その傾斜端面１６ａの先端部が支持棒ＳＲの周面にぶつかっている。この棒体１６の一端における傾斜端面１６ａの先端部が第２接触部１６ｂを構成している。
【００２０】
支持棒ＳＲに対向する棒体１６の一端が傾斜端面１６ａとされている理由は、この延長物支持装置１０、即ち取付けブラケット１１の受け部１３を支持棒ＳＲの軸方向途中の部位に引っかけるようにして装着するための支持棒配置口１９を形成するためである。具体的には、受け部１３の溝部１３ｂにおける一方の側面を形成している枠形成片１３ａの下端縁１３ｅは、棒体１６の傾斜端面１６ａに対してほぼ平行な傾斜縁部とされ、その間に隙間が支持棒配置口１９として形成されている。
【００２１】
この隙間の間隔寸法、更に詳しく言うと、枠形成片１３ａ下端の傾斜縁部１３ｅと棒体１６の傾斜端面１６ａを含む平面との間の距離は、受け部１３の溝部１３ｂ内に相対的に入れられる支持棒ＳＲの直径よりやや大きく形成されている。また、棒体１６の傾斜端面１６ａにおける第２接触部１６ｂである先端部と、受け部１３の溝部１３ａを構成している底面１３ｃの下端縁との間隔、即ち距離についても、同様に支持棒ＳＲの直径よりやや大きく形成されている。
【００２２】
これにより、延長物支持装置１０を支持棒ＳＲの軸方向途中の部位に装着する場合には、図４に示されるように受け部１３の溝部１３ｂと係止部１４の棒体１６とがそれぞれ逆ハの字状に位置するように取付けブラケット１１を傾け、支持棒ＳＲを基板１２の表面に近接して沿わせるように支持棒配置口１９から相対的に入れて受け部１３の真下に支持棒ＳＲの軸方向途中の部位を位置決めする。
【００２３】
この状態から受け部１３の溝部１３ｂが縦方向になるように、棒体１６の傾斜端面先端部を支持棒ＳＲの周面に接触させかつこの接触部１６ｂを支点として図４に矢印２０で示されるように取付けブラケット１１を反時計方向に旋回する。これにより支持棒ＳＲの軸方向途中の部位は相対的に受け部１３の溝部１３ｂ内に開放側から切り起こし片に圧接して入り、その周面が溝部１３ｂの底面１３ｃ中央部に接触する。延長物支持装置１０の支持棒ＳＲへのこのような装着操作は、いわゆるワンタッチで行うことができ、また取り外す場合についても装着手順の逆操作を行えばよい。
【００２４】
棚部１５上に固着された棒体１６において、支持棒ＳＲと反対側の他端側は一体的に延出し、信号ケーブルや配管系などの延長物２１を支持する担持部材１７を形成している。この担持部材１７の具体的な構成は、図１〜図３から明らかなように棒体１６の延出部１７ａにその外径より幾分大きな内径を備えるプラスチック製の筒状体１８が回転自在に取り付けられている。棒体１６から延出した延出部１７ａの端部はほぼ９０度上方へ屈曲されて落下防止部１７ｂを形成している。
【００２５】
次に、延長物支持装置１０が支持棒ＳＲの軸方向途中の部位に装着された後にその担持部材１７に例えばケーブルや配管系などの延長物２１が乗せられた場合の支持棒ＳＲに対する保持作用について説明する。ケーブルや配管系などの延長物２１が担持部材１７に乗せられると、その延長物２１の重量により、取付けブラケット１１には、支持棒ＳＲの周面に接触する棒体１６における傾斜端面１６ａの先端部と支持棒ＳＲ周面との接触部１６ｂを支点として図１の矢印２２で示される反時計方向へ旋回力が働く。
【００２６】
その結果、受け部１３の溝部１３ｂにおける底面１３ｃと支持棒ＳＲとの接触部による支持棒ＳＲへの圧接力（図１に矢印２３ａで示す）と、係止部１４における棒体１６の傾斜端面先端部による支持棒ＳＲへの圧接力（図１に矢印２３ｂで示す）とが相反する方向から同時に働いて延長物支持装置１０は支持棒ＳＲに強力に保持される。すなわち、取付けブラケット１１は支持棒ＳＲに対して自己保持作用を生じるように取り付けられていることになり、その結果担持部材１７に乗せられる延長物２１が重ければ重いほど自己保持作用が大きくなるのである。
【００２７】
このように延長物支持装置１０は、コンクリート躯体の天井面から垂下している支持棒ＳＲに簡単に着脱することができることから、建造物全体又はその一部の室内をリフォームする際に天井裏空間に配置されたケーブルや配管系などの延長物２１を既存のアンカー棒や必要に応じて新たに設置したアンカー棒に延長物支持装置１０をワンタッチで装着して仮設することができ、その作業は非常に容易である。
【００２８】
なお、この延長物支持装置１０では、支持棒ＳＲに対する係止部１４の第２接触部１６ｂが棒体１６の傾斜端面１６ａにおける先端部で構成されているため、この延長物支持装置１０を装着する支持棒ＳＲとして図１に示されるようにネジ棒を用いれば、その傾斜端面１６ａの先端部がネジ溝に入ってその係止がより確実なものとなり、ネジ棒に沿った下方向への延長物支持装置１０のずり落ちが効果的に阻止され、保持力を更に高めることができる。
【００２９】
図５には本発明における第２の実施形態に係る延長物支持装置３０が示されている。この第２実施形態の延長物支持装置３０と第１の実施形態における延長物支持装置１０との相違は、取付けブラケット１１の基板１２の下端から支持棒ＳＲに沿って下方向に延出し、係止部１４の第２接触部１６ｂと同じ方向から支持棒ＳＲの周面に接触する第３接触部３１を有する補助係止部３２が設けられている点にある。
【００３０】
すなわち、補助係止部３２は、取付けブラケット１１の基板１２の下端から支持棒ＳＲに沿って下方向に延出した板状体３２ａの下端側における側部から棒体１６に沿って張り出した枠形成片３２ｂをＬ字形に折り曲げて溝部３２ｃを形成して構成されている。このような延長物支持装置３０でも、支持棒ＳＲへの装着手順は第１の実施形態に係る延長物支持装置１０と同じであり、支持棒ＳＲを基板１２の表面に近接して沿わせるように支持棒配置口１９から相対的に入れて受け部１３の真下に支持棒ＳＲの軸方向途中の部位を位置決めする。
【００３１】
この状態から受け部１３の溝部１３ｂが縦方向になるように、棒体１６の傾斜端面先端部を支持棒ＳＲの周面に接触させかつこの接触部１６ｂを支点として図４に矢印２０で示されるように取付けブラケット１１を反時計方向に旋回する。これにより支持棒ＳＲにおける第２接触部１６ｂより上方側の部位は相対的に受け部１３の溝部１３ｂ内に開放側から切り起こし片に圧接して入り、その周面が溝部１３ｂの底面１３ｃ中央部に線接触する。また、支持棒ＳＲにおける第２接触部１６ｂより下方側の部位は相対的に補助係止部３２の溝部３２ｃ内に開放側から入り、その周面が溝部３２ｃの底面中央部に線接触する。この底面中央部と支持棒ＳＲとの接触部が第３接触部３１である。
【００３２】
このような補助係止部３２を設けると、担持部材１７に重いケーブルや配管系などの延長物２１を乗せて支持するとき、支持棒ＳＲに対する延長物支持装置３０の保持力が更に高まり、支持棒ＳＲに沿った下方向への延長物支持装置３０のずり落ちを防止することができる。
【００３３】
前述した第１及び第２の実施形態に係る延長物支持装置では、建造物をリフォームする際に天井裏空間に設置されているケーブルや配管系などの延長物を一時的に仮設する場合の使用例について説明したが、本発明はこのような使用例に限定されるものではなく、新たに建造物を建設する際にケーブルや配管系などの延長物を支持する手段として使用できることは言うまでもない。
【００３４】
【発明の効果】
本発明の延長物支持装置によれば、例えば建造物のコンクリート躯体天井面に取り付けた支持棒に簡単に装着及び取り外しができることから、建造物の室内における天井裏空間においてケーブルや配管系などの延長物を迅速に支持させることができる。また、板状体に棒体を固着しているために、担持部材に重いケーブルや配管系などの延長物を乗せて支持するとき、支持棒に対する延長物支持装置の保持力が更に高まり、支持棒に沿った下方向への延長物支持装置のずり落ちを防止することができる。
【図面の簡単な説明】
【図１】  本発明の第１の実施形態に係る延長物支持装置を支持棒に装着した状態で示す斜視図である。
【図２】  図１に示される延長物支持装置を支持棒から取り外した状態で示す正面図である。
【図３】  図２に示される延長物支持装置を示す平面図である。
【図４】  図２に示される延長物支持装置を支持棒に装着するときの状態を示す斜視図である。
【図５】  本発明の第２の実施形態に係る延長物支持装置を支持棒に装着した状態で示す斜視図である。
【図６】  図５に示される延長物支持装置を支持棒から取り外した状態で示す正面図である。
【符号の説明】
１０  第１の実施形態に係る延長物支持装置
１１  取付けブラケット
１２  基板
１３  受け部
１３ａ  枠形成片
１３ｂ  溝部
１３ｃ  底面（第１接触部）
１３ｄ  下端縁
１４  係止部
１５  棚部
１６  棒体
１６ａ  傾斜端面
１６ｂ  傾斜端面の先端部（第２接触部）
１７  担持部材
１７ａ  延出部
１７ｂ  落下防止部
１８  筒状体
１９  支持棒配置口
２０  装着時の回転方向を示す矢印
２１  延長物
３０  第２の実施形態に係る延長物支持装置
３１  第３接触部
３２  補助係止部
３２ａ  板状体
３２ｂ  枠形成片
３１ｃ  溝部
ＳＲ  支持棒
【図１】
0003715951.tif 000002
【図２】
0003715951.tif 000003
【図３】
0003715951.tif 000004
【図４】
0003715951.tif 000005
【図５】
0003715951.tif 000006
【図６】
0003715951.tif 000007